(57)【要約】【課題】  単一基板上に二つの発光素子がモノリシック集積された光源から出射されるレーザ光の偏波面がオフセットする場合であっても、光学系に出射されるレーザ光がＴＥモード発光となる光ヘッド装置およびモノリシック型二波長光源を提供すること。  【解決手段】  単一基板上に二つのレーザダイオード発光領域が形成されたモノリシック型二波長光源である半導体レーザ装置１０とビームスプリッタ１２との間に、入射偏光方向に応じて異なった減光特性を有する光学フィルタ２が設けられると共に、該光学フィルタ２によって半導体レーザ装置１０から出射されるレーザ光のＴＭ偏波光成分を選択的に減光するようにした。  【選択図】  図１
2008077722.tif 000002
【特許請求の範囲】
【請求項１】
単一基板上に二つのレーザダイオード発光領域が形成されたモノリシック型二波長光源と、少なくとも光分岐素子を有する光学系とを備えた光ヘッド装置において、前記モノリシック型二波長光源と前記光分岐素子との間に、入射偏光方向に応じて異なった透過特性を有する光学フィルタが設けられると共に、該光学フィルタは前記モノリシック型二波長光源から出射されるレーザ光のＴＭ偏波光成分を選択的に減光することを特徴とする光ヘッド装置。
【請求項２】
前記光学フィルタが、前記モノリシック型二波長光源から発せられたレーザ光のＴＥモード成分以外の成分を除去する偏光子であることを特徴とする請求項１に記載の光ヘッド装置。
【請求項３】
前記モノリシック型二波長光源は、内部に発光素子が収納された収納ケースを有し、該収納ケースのレーザ光が出射される側に前記光学フィルタが固定されていることを特徴とする請求項１または２に記載の光ヘッド装置。
【請求項４】
前記モノリシック型二波長光源は、前記発光素子が前記収納ケースによって封止されたいわゆるキャンタイプであって、前記収納ケースからレーザ光が出射される開口に光学フィルタを固定させることにより、前記収納ケースを封止させたことを特徴とする請求項３に記載の光ヘッド装置。
【請求項５】
前記モノリシック型二波長光源から出射されるレーザ光は、前記光分岐素子によって、光磁気記録媒体とフロントモニタとにそれぞれ導かれるように分岐されることを特徴とする請求項１〜４に記載の光ヘッド装置。
【請求項６】
単一チップ上に２つのレーザダイオード発光領域が形成されたモノリシック型二波長光源において、内部に発光素子が収納された収納ケースを有し、該収納ケースの出射光側に入射偏波光方向に応じて異なった透過特性を有する光学フィルタが固定されると共に、該光学フィルタは、前記モノリシック型二波長光源から出射されるレーザ光のＴＭ偏波光成分を選択的に減光することを特徴とするモノリシック型二波長光源。
【発明の詳細な説明】
【技術分野】
【０００１】
本発明は、光ヘッド装置およびモノリシック型二波長光源に関し、更に詳しくは、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）等の光記録媒体の記録・再生を行う光ヘッド装置およびその光源として使用されるモノリシック型二波長光源に関する。
【背景技術】
【０００２】
従来より、ＣＤやＤＶＤ等の光記録媒体の再生や記録を行う光記録再生装置等に用いられる光ヘッド装置が知られている。その中でも、近年急速に普及してきたＤＶＤは、ＣＤと比較し大容量の情報を記録するため、ピットが小さくトラック間隔が狭い。従って、光源であるレーザダイオード（以下ＬＤという）からＤＶＤに照射されるレーザ光の波長は、赤色光域（約６５０ｎｍの帯域）に設定され、ＣＤの近赤外光域（約７８０ｎｍの帯域）に対して比較的短い。
【０００３】
しかも、上記赤色光域は、追記型のＣＤ系ディスクであるＣＤ−Ｒメディアの吸収帯に相当するため、ＣＤ−Ｒメディアの再生を前提とした場合、ＣＤ／ＤＶＤ互換の光ヘッド装置には、波長約６５０ｎｍと波長約７８０ｎｍの二種類の光源を搭載する必要がある。
【０００４】
このような光ヘッド装置に好適に使用される光源として、ＤＶＤドライブ用のＡｌＧａＩｎＰ系赤色ＬＤ発光素子と、ＣＤドライブ用のＡｌＧａＡｓ系赤外ＬＤ発光素子とが単一チップ上に集積され、二種類の発光領域を有するモノリシック型二波長光源が知られている（例えば特許文献１参照）。このモノリシック型二波長光源によれば、光ヘッド装置の部品点数の削減や組立容易化によるコストダウンにつながるだけでなく、発光点間隔の精度を±１μｍ程度に抑えることが可能なため、光学性能に優れた光ヘッド装置とすることができる。
【０００５】
【特許文献２】特開２００６−１０８４０５号公報
【発明の開示】
【発明が解決しようとする課題】
【０００６】
しかし、上記ＤＶＤドライブ用およびＣＤドライブ用のＬＤ発光素子がそれぞれ単独に製造される場合、基板材料としてＧａＡｓが使用されることは共通しているものの、ＬＤ発光素子の結晶成長条件等が大きく異なる。すなわち、両ＬＤ発光素子が同一の基板に集積されるモノリシック型二波長光源の製造においては、いずれか一方のＬＤ発光素子の結晶生成の最適条件を優先する必要があり、他方のＬＤ発光素子は必ずしも最適条件で製造することができない。
【０００７】
そのため、モノリシック型二波長光源に形成された二種類のＬＤ発光素子のうち、いずれか一方のＬＤ発光素子では、素子に加わるストレスの影響で、出射されるレーザ光の偏波面が、本来のＴＥ偏波面からオフセットしてしまうという問題があった。
【０００８】
本発明が解決しようとする課題は、単一基板上に二つのＬＤ発光素子が集積されるため、出射されるレーザ光の偏波面が本来のＴＥ偏波面からオフセットしてしまう場合であっても、光ヘッド装置の光学系に出射されるレーザ光がＴＥモード発光となる光ヘッド装置およびモノリシック型二波長光源を提供することにある。
【課題を解決するための手段】
【０００９】
上記課題を解決するために本発明に係る光ヘッド装置は、単一基板上に二つのレーザダイオード発光領域が形成されたモノリシック型二波長光源と、少なくとも光分岐素子を有する光学系とを備えた光ヘッド装置において、前記モノリシック型二波長光源と前記光分岐素子との間に、入射偏光方向に応じて異なった透過特性を有する光学フィルタが設けられると共に、該光学フィルタは前記モノリシック型二波長光源から出射されるレーザ光のＴＭ偏波光成分を選択的に減光することを要旨とするものである。このように構成することにより、モノリシック型二波長光源に搭載された発光素子から出射されるレーザ光の偏波面がオフセットされる場合であっても、モノリシック型二波長光源から出射されるレーザ光を常にＴＥモード発光とすることができる。
【００１０】
この場合、請求項２に記載のように、前記光学フィルタが、前記モノリシック型二波長光源から発せられたレーザ光のＴＥモード成分以外の成分を除去する偏光子であればよい。このように構成することで、出射されるレーザ光を確実にＴＥモード発光とすることができ、より高品質な光ヘッド装置とすることができる。
【００１１】
また、請求項３に記載のように、前記モノリシック型二波長光源は、内部に発光素子が収納された収納ケースを有し、該収納ケースのレーザ光が出射される側に前記光学フィルタが固定されておればさらに好適である。このように構成することで、発光素子の近傍に光学フィルタを位置させることができるため、断面楕円形状の発散光であるＬＤレーザ光の断面積が小さい位置でレーザ光を光学フィルタに透過させることが可能となる。したがって、使用する光学フィルタの面積も小さくすることができ、光ヘッド装置の製造コストの低廉化につながる。
【００１２】
この場合、請求項４に記載のように、請求項３に記載の前記モノリシック型二波長光源は、前記発光素子が前記収納ケースによって封止されたいわゆるキャンタイプであって、前記収納ケースからレーザ光が出射される開口に光学フィルタを固定させることにより、前記収納ケースを封止させるようにするとよい。このように構成することで、ＬＤ発光素子が収納ケースおよび光学フィルタに覆われるため、光学フィルタによって透過されずに反射されたレーザ光の迷光を防止することができる。
【００１３】
さらに、請求項５に記載のように、前記モノリシック型二波長光源から出射されるレーザ光は、前記光分岐素子によって、光磁気記録媒体とフロントモニタとにそれぞれ導かれるように分岐されるようにするとよい。このように構成することで、レーザ光の偏波面のオフセットにより、光分岐素子によるレーザ光の分配比が変化し、モノリシック型二波長光源から出射されるレーザ光の出力値がフロントモニタにより誤って測定される等の不具合を防止することができる。
【００１４】
また、請求項６に記載のように、単一チップ上に２つのレーザダイオード発光領域が形成されたモノリシック型二波長光源において、内部に発光素子が収納された収納ケースを有し、該収納ケースの出射光側に入射偏波光方向に応じて異なった透過特性を有する光学フィルタが固定されると共に、該光学フィルタは、前記モノリシック型二波長光源から出射されるレーザ光のＴＭ偏波光成分を選択的に減光することを要旨とするものである。このように構成することで、発光素子から出射されるレーザ光の偏光面がオフセットおよびドリフトしても、モノリシック型二波長光源から出射されるレーザ光が既にＴＥモード発光となっているので、モノリシック型二波長光源特有の現象であるレーザ光の偏波面のオフセットを特段意識することなく、単一波長の半導体レーザ装置を使用する場合と同様の感覚で使用することができる。
【発明の効果】
【００１５】
本発明に係る光ヘッド装置によれば、光源として単一チップ上に二つのＬＤ発光領域が形成されたモノリシック型二波長光源が採用されているため、少なくともいずれか一方のレーザ光の偏波面が本来のＴＥ偏波面からオフセットしてしまい、さらにはそのオフセット量が温度特性により変化してしまうが、このモノリシック型二波長光源と、光ヘッド装置の光学系に備えられた光分岐素子との間には、レーザ光のＴＭ偏波光成分を選択的に減光する光学フィルタが備えられている。これにより、モノリシック型二波長光源から出射されたレーザ光を常にＴＥモード発光として光学系に入射するようにすることができるため、光学性能、光利用効率に優れた光ヘッド装置とすることができる。
【発明を実施するための最良の形態】
【００１６】
以下に本発明の実施の形態について図面を参照しつつ詳細に説明する。
【００１７】
図１は、本発明の一実施形態に係るＤＶＤおよびＣＤの再生・記録に対応した光ヘッド装置１の光学系の一例を模式的に示した概略構成図である。この光ヘッド装置１は、光源である半導体レーザ装置１０から出射されたレーザ光が、光学フィルタ２およびビームスプリッタ１２を透過し、コリメータレンズ１４を介して、ビームスプリッタ１６で反射された後、立ち上げミラー１８で反射され、対物レンズ２０で収束されて、光ディスク２２（ＤＶＤもしくはＣＤ）の光記録媒体の情報記録面に焦点を結ぶように構成されている。
【００１８】
そして、光ディスク２２の情報記録面で反射した戻り光は、対物レンズ２０を透過して、再び立ち上げミラー１８で反射され、ビームスプリッタ１６を透過した後、信号検出器２６に入射するようになっている。
【００１９】
また、半導体レーザ装置１０から出射されたレーザ光の一部は、ビームスプリッタ１２により反射され、フロントモニタ２４に入射する。このフロントモニタ２４は、その入射光量を検出するものであり、この検出量を元に、図示されない制御装置によって半導体レーザ装置１０のレーザ光出力がフィードバック制御される。
【００２０】
また、これらの光学素子は一般的に偏波依存性を有するものであり、半導体レーザ装置１０から出射されたレーザ光がＴＥ偏波光であることを利用して、そのレーザ光を適宜反射、透過させることにより、光ヘッド装置１の必要な装置性能が得られるように設計されている。
【００２１】
光源である半導体レーザ装置１０は、ＬＤチップがパッケージングされたいわゆるキャンタイプと呼ばれるものである。図２にこの半導体レーザ装置１０の外観斜視図を示す。なお、図２は、半導体レーザ装置１０の内部構成の説明のため、後述するキャンケース３６および光透過窓３９を一部剥離した外観斜視図である。
【００２２】
半導体レーザ装置１０は、略円盤状で銅製あるいは鉄製のステム３０から上方に突出したヒートシンク部材３１に、サブマウント３２を介してＬＤチップ３４が支持され、このＬＤチップ３４を覆うように、キャップ状にプレス加工された金属製のキャンケース３６がステム３０に接合されてなる。
【００２３】
このステム３０は、外周面が絶縁されて挿入固定されたリードピン３３ａ，３３ｂと、ヒートシンク部材３１と接続されたリードピン３３ｃを有しており、ＬＤチップ３４とワイヤボンディング配線３７ａ，３７ｂ等により電気的に接続されている。
【００２４】
キャップ部材３６には、これら半導体レーザ素子から出射されたレーザ光が通過するよう光透過孔３８が形成されており、キャップ部材３６の内側から、光透過孔３８の周縁部にガラス製の光透過窓３９が貼付されている。
【００２５】
キャンケース３６の内部に収納されるＬＤチップ３４は、単一チップ上に異なる発光領域を持つ二つのＬＤ発光素子が集積されてなる、いわゆるモノリシック型に形成されたものである。サブマウント３２に支持されたＬＤチップ３４の断面構造を示した模式図を図３に示す。
【００２６】
ＬＤチップ３４は、ＧａＡｓ半導体結晶から形成された基板４０上にＤＶＤドライブ用のＬＤ発光素子４２と、ＣＤドライブ用のＬＤ発光素子４４とが並列配置されている。ＤＶＤドライブ用のＬＤ発光素子４２は、いわゆるＡｌＧａＩｎＰ系ＬＤ発光素子であり、発光点Ｐ１より波長約６５０ｎｍの赤色レーザ光を出射する。また、ＣＤドライブ用のＬＤ発光素子４４は、いわゆるＡｌＧａＡｓ系発光素子であり、発光点Ｐ２より波長約７８０ｎｍの赤外レーザ光を出射するものである。そして、ＤＶＤドライブ用のＬＤ発光素子４２が正極４２ａを介して、ＣＤドライブ用のＬＤ発光素子４４が正極４２ｂを介して、サブマウント３２と接続されている。また、基板４０のＬＤ発光素子が配置された反対側の面には各ＬＤ発光素子の共通負極４１が配設されている。
【００２７】
このＤＶＤドライブ用ＬＤ発光素子４２およびＣＤドライブ用ＬＤ発光素子４４は、本来であればそれぞれが単独でＧａＡｓ基板上に形成されるものであり、それぞれの半導体結晶生成の最適条件が異なる。本実施形態におけるＬＤチップ３４は、ＤＶＤドライブ用ＬＤ発光素子４２の結晶生成条件が優先適用されたものである。
【００２８】
したがって、ＤＶＤドライブ用ＬＤ発光素子４２から出射されるレーザ光は、ＴＥモード発光されるのに対し、ＣＤドライブ用ＬＤ発光素子４４は、単独で形成される場合とは異なる結晶条件で形成されるため、素子に加わるストレスの影響で、そのレーザ光の偏波面が本来のＴＥ偏波面からオフセットしてしまう。さらに、このオフセット量は温度依存性を持つため、ＣＤドライブ用ＬＤ発光素子４４のレーザ光のオフセット量は一定値ではなく、半導体レーザ装置１０の使用中にドリフトしてしまう。
【００２９】
これに対し、本実施形態では、前述したように半導体レーザ装置１０とビームスプリッタ１２の間に光学フィルタ２が介在している。この光学フィルタ２は、赤色波長域から赤外波長域にかけてＴＭ偏波光成分を減光し、ＴＥ偏波光を透過する特性を持つものである。なお、この光学フィルタとしては、ポラロイド等のポリマーで作られた偏光板や方解石や水晶を切削研磨して作成された復屈折性光学フィルター等の偏光子が例示できる。
【００３０】
つまり、ＣＤドライブ用ＬＤ発光素子４４から出射されたレーザ光は、光学フィルタ２を通過することとなるため、その偏波面のオフセットが解消され、本来のＴＥモード発光として、ビームスプリッタ１２に入射することとなる。
【００３１】
よって、本発明の第一実施形態に係る光ヘッド装置１によれば、モノリシック型二波長光源である半導体レーザ装置１０と光分岐素子であるビームスプリッタ１２の間にＴＭモード光を選択的に減光する光学フィルタ２が介在されているため、偏波面が本来のＴＥ偏波面からオフセットされたレーザ光であっても、光ヘッド装置１の光学系に入射する光はＴＥモード発光となり、光学性能、光利用効率に優れた光ヘッド装置１となる。
【００３２】
また、ビームスプリッタ１２の入射前にレーザ光の偏波面のオフセットが解消され、ＴＥモード発光となるため、ビームスプリッタ１２を透過するレーザ光と、ビームスプリッタ１２で反射されフロントモニタ２４に入射するレーザ光の分配比に影響がない。そのため、レーザ光の出力値がフロントモニタ２４により誤って測定されることを防止でき、光ヘッド装置の高品質化に寄与する。
【００３３】
なお、上記実施形態では、ＬＤチップ３４は、ＤＶＤドライブ用半導体レーザ素子４２の結晶生成条件が優先適用されたものであるため、ＣＤドライブ用半導体レーザ素子４４がそのレーザ光の偏波面が本来のＴＥ偏波面からオフセットすることを説明したが、それとは逆に、ＣＤドライブ用半導体レーザ素子４４の結晶生成条件が優先適用されたために、ＤＶＤドライブ用半導体レーザ素子４２から出射されるレーザ光がＴＥ偏波面からオフセットする場合においても同様にＴＥモード発光とすることができる。
【００３４】
次に本発明の第二実施形態について説明する。図４は、本発明の第二実施形態に係る光ヘッド装置５０の光学系の一例を模式的に示した概略構成図であり、図５は、この光ヘッド装置５０の光源である半導体レーザ装置５２の外観斜視図である。なお、第一実施形態と同様の構成部品は、同じ番号を付し、説明を省略する。
【００３５】
この光ヘッド装置５０は、第一実施形態において、半導体レーザ装置１０とビームスプリッタ１２の間に介在されていた光学フィルタ２が存在しない点で第一実施形態と異なる。
【００３６】
また、第一実施形態では、半導体レーザ装置１０の光透過孔３８に光透過窓３９が貼付されていたのに対し、第二実施形態では、半導体レーザ装置５２のキャップ部材３６の内側から、光透過孔３８の周縁部に光学フィルタ５４が貼付されている。
【００３７】
このようにすることで、光学フィルタ５４によって、ＬＤチップ３４から出射される本来のＴＥ偏波面からオフセットしたレーザ光のうち、ＴＭ偏光成分が減光することとなるため、ＴＥモード発光のレーザ光が半導体レーザ装置５２より出射されることとなる。
【００３８】
そのため、第一実施形態と同様に、光ヘッド装置５０の光学系に入射する光はＴＥモード発光となり、光学性能、光利用効率に優れた光ヘッド装置５０とすることができる。また、ビームスプリッタ１２の入射前にレーザ光の偏波面のオフセットが解消され、ＴＥモード発光となるため、レーザ光の出力値がフロントモニタ２４により誤って測定されることがない。
【００３９】
さらに、半導体レーザ光は、断面が楕円形状の発散光であることが知られているが、この第二実施形態では、ＬＤチップ３４の発光点の近傍に光学フィルタ５４を位置させることができるため、レーザ光の断面積が小さい位置でレーザ光が光学フィルタ５４を透過することとなる。したがって、使用する光学フィルタ５４の面積も小さくすることができ、光ヘッド装置一台あたりの光学フィルタ５４の使用量が減少し、歩留まりの向上にもつながることから、大幅なコストダウンが期待できる。
【００４０】
また、ＬＤチップ３４が光学フィルタ５４およびキャンケース３６によって覆われることとなるため、光学フィルタ５４によって反射されたＴＥモード成分以外のレーザ光の迷光を防止することができる。
【００４１】
また、半導体レーザ装置５２から出射されるレーザ光が既にＴＥモード発光となっているので、光ヘッド装置５０の組立工程における作業者等は、モノリシック型二波長光源特有の現象であるレーザ光の偏波面のオフセットを特段意識することなく、単一波長の半導体レーザ装置と同様に扱うことができる。
【００４２】
このように、上記第二実施形態では、いわゆるキャンタイプの半導体レーザ装置５２の光透過孔３８に光学フィルタ５４が貼付され、モノリシック型二波長光源から出射されるレーザ光の偏波面のオフセットを解消することを説明したが、図６に示すように、いわゆるフレームタイプの半導体レーザ装置にも同様の技術的思想が適用可能である。
【００４３】
このフレームタイプの半導体レーザ装置６０は、フレーム６２上にサブマウント６４を介してＬＤチップ６６が載置され、その周囲が角型樹脂６８に囲繞されてなるものである。ＬＤチップ６６から出射されるレーザ光は、角型樹脂６８に設けられた開口部７０から出射されるようになっている。また、フレーム６２には、ＬＤチップ６６と電気的に接続された、接続端子６３ａ，６３ｂ，６３ｃが挿入固定されている。
【００４４】
そして、角型樹脂６８には、開口部７０を覆うように光学フィルタ７２が取り付けられる。これにより、キャンタイプと同様に、ＬＤチップ６６がモノリシック型二波長光源であっても、出射されるレーザ光をＴＥモード発光とすることができる。
【００４５】
このように、本実施形態に係る光ヘッド装置１によれば、光源としてモノリシック型のＬＤチップ３４が搭載された半導体レーザ装置１０が採用されているため、少なくともいずれか一方のレーザ光の偏波面がオフセットしてしまうが、この半導体レーザ装置１０と、光ヘッド装置の光学系に備えられたビームスプリッタ１２との間にレーザ光のＴＭ偏波光成分を選択的に減光する光学フィルタ２が備えられている。そのため、光学フィルタ２を通過したレーザ光はＴＥモード発光となり、光学性能、光利用効率に優れた光ヘッド装置とすることができる。
【００４６】
また、上記光学フィルタ２が、ＴＥモード成分以外の成分を除去するものであれば、より高品質な光ヘッド装置とすることができる。
【００４７】
さらに、いわゆるキャンタイプのレーザ発光装置５０は、キャンケース３６の光透過孔３８に光学フィルタ５４が取り付けられ、フレームタイプの半導体レーザ装置６０は、角型樹脂６８の開口部７０に光学フィルタ７２が取り付けられているため、ＬＤチップ３４，６６の近傍に光学フィルタ５４，７２を位置させることができ、断面楕円形状の発散光であるレーザ光の断面積が小さい位置でレーザ光を光学フィルタ５４，７２に透過させることが可能となる。したがって、使用する光学フィルタ５４，７２の面積を小さくすることができ、光ヘッド装置の製造コストの低廉化につながる。
【００４８】
また、キャンタイプの半導体レーザ装置５２の場合、キャンケース３６の光透過孔３８に光学フィルタ５４が取り付けられた構成であるため、ＬＤチップ３４がキャンケース３６と光学フィルタ５４に完全に覆われることとなり、光学フィルタ５４によって偏光されずに反射されたレーザ光の迷光を防止することができる。
【００４９】
さらに、ビームスプリッタ１２に入射するレーザ光は、光学フィルタ２，５４，７２によって、既にＴＥモード発光とされているため、ビームスプリッタ１２によるレーザ光の分配比が変化し、レーザ光の出力値がフロントモニタ２４により誤って測定される等の不具合を防止することができる。
【００５０】
また、本実施形態に係るモノリシック型二波長光源によれば、内部にＬＤチップ３４が収納されたキャンケース３６や角型フレーム６８の出射光側にレーザ光のＴＭ偏波光成分を選択的に減光する光学フィルタ５４，７２が固定されているため、レーザ光の偏光面がオフセットしても、該光源から出射されるレーザ光が既にＴＥモード発光となり、モノリシック型二波長光源特有の現象であるレーザ光の偏波面のオフセットを特段意識することなく、単一波長の半導体レーザ装置と同様に使用することができる。  
【００５１】
以上、本発明の実施の形態について詳細に説明したが、本発明は上記実施の形態に何ら限定されるものではなく、本発明の要旨を逸脱しない範囲で種々の改変が可能である。
【００５２】
例えば、本実施形態に係る光ヘッド装置は、ＣＤおよびＤＶＤの再生・記録の双方に対応した、いわゆるＣＤ／ＤＶＤデュアルライタードライブに使用できるものであることを説明したが、ＣＤの記録・再生、ＤＶＤの再生のみに対応した、いわゆるＣＤ／ＤＶＤコンボドライブにも好適に使用できることは言うまでもない。
【００５３】
さらに、上記実施形態では、光ヘッド装置に使用される光源が、波長約６５０ｎｍＤＶＤドライブ用の半導体素子と、波長約７８０ｎｍのＣＤドライブ用の半導体レーザ素子が集積されたモノリシック型二波長光源であることを説明したが、その他の波長域をもつレーザ発光素子が集積されたモノリシック型二波長光源であっても本願の技術的思想は適用可能である。
【図面の簡単な説明】
【００５４】
【図１】本発明の第一実施形態に係る光ヘッド装置の光学系を模式的に示した概略構成図である。
【図２】本発明の第一実施形態に係る光ヘッド装置に光源として使用される半導体レーザ装置の外観斜視図である。
【図３】図２に示した半導体レーザ装置のＬＤチップの構造を説明するための断面図である。
【図４】本発明の第二実施形態に係る光ヘッド装置の光学系を模式的に示した概略構成図である。
【図５】本発明の第二実施形態に係る光ヘッド装置に光源として使用される半導体レーザ装置の外観斜視図である。
【図６】光学フィルタをフレームタイプの半導体レーザ装置に取り付けた場合の外観斜視図である。
【符号の説明】
【００５５】
１                光ヘッド装置
２                光学フィルタ
１０              半導体レーザ装置（キャンタイプ）
１２              ビームスプリッタ
２４              フロントモニタ
３４              ＬＤチップ
３６              キャンケース
３８              光透過孔
５０              光ヘッド装置
５２              半導体レーザ装置（キャンタイプ）
５４              光学フィルタ
６０              半導体レーザ装置（フレームタイプ）
６６              ＬＤチップ
７０              開口部
７２              光学フィルタ
【図１】
2008077722.tif 000003
【図２】
2008077722.tif 000004
【図３】
2008077722.tif 000005
【図４】
2008077722.tif 000006
【図５】
2008077722.tif 000007
【図６】
2008077722.tif 000008